(57)【要約】【課題】居住者が犯罪者とはち合わせにならないようにするとともに犯罪者の逃走経路を長くして犯罪の発生を抑制するセキュリティシステムを得る。【解決手段】セキュリティシステムは、ビル内の安全を確保するために上記ビルの扉を警備するビル警備システムおよび上記ビルに配備されたエレベータを制御するエレベータ制御装置を備えるセキュリティシステムにおいて、上記ビル警備システムは、各扉を不法に開けたことを検知する警備装置と、不法に開けられた扉の階床を特定するとともに特定した階床および不法に開けられたことを上記エレベータ制御装置に通報する中央警備装置とを備え、上記エレベータ制御装置は上記ビル警備システムから扉が不法に開けられたとの通報を受けたとき乗場呼びをキャンセルするとともにかごを上記特定された階床以外の階床に停車してからエレベータを休止する。【選択図】図１
2010195509.tif 000002
【特許請求の範囲】
【請求項１】
ビル内の安全を確保するために上記ビルの扉を警備するビル警備システムおよび上記ビルに配備されたエレベータを制御するエレベータ制御装置を備えるセキュリティシステムにおいて、
上記ビル警備システムは、各扉を不法に開けたことを検知する警備装置と、不法に開けられた扉の階床を特定するとともに特定した階床および不法に開けられたことを上記エレベータ制御装置に通報する中央警備装置とを備え、
上記エレベータ制御装置は上記ビル警備システムから扉が不法に開けられたとの通報を受けたとき乗場呼びをキャンセルするとともにかごを上記特定された階床以外の階床に停車してからエレベータを休止することを特徴とするセキュリティシステム。
【発明の詳細な説明】
【技術分野】
【０００１】
本発明は、ビル内に不法に侵入した侵入者がいるときに居住者の安全を図るセキュリティシステムに関する。
【背景技術】
【０００２】
ビル内に侵入した侵入者をエレベータで捕獲することを目的としたシステムでは、侵入検出手段が動作した後、乗場呼びが登録され、かごが応答し、利用客がかごに乗ったとき、かごの戸閉後、戸開手段を無効とするとともにかごを休止させる手段と、監視センタに直話発報する手段と、監視センタより通信回線を介して、戸開手段を有効とするとともに、かごを再運転する手段を備えた（例えば、特許文献１参照）。
【先行技術文献】
【特許文献】
【０００３】
【特許文献１】特開平６−２５５９２２号公報
【発明の概要】
【発明が解決しようとする課題】
【０００４】
しかしながら、こじ開けられた扉とエレベータとが連動されていないので、居住者がエレベータの中ではち合わせしてしまい居住者に危険が及ぶという問題がある。
また、マンション玄関ドアとエレベータとがセキュリティ連動されておらず、マンション内でドアこじ開けなどの犯罪が発生した場合、エレベータが動いているためにエレベータを使って犯罪者が逃走してしまうという問題がある。
【０００５】
本発明は、前記のような課題を解決するためになされたものであり、居住者が犯罪者とはち合わせにならないようにするとともに犯罪者の逃走経路を長くして犯罪の発生を抑制するセキュリティシステムを得ることを目的とする。
【課題を解決するための手段】
【０００６】
この発明に係るセキュリティシステムは、ビル内の安全を確保するために上記ビルの扉を警備するビル警備システムおよび上記ビルに配備されたエレベータを制御するエレベータ制御装置を備えるセキュリティシステムにおいて、上記ビル警備システムは、各扉を不法に開けたことを検知する警備装置と、不法に開けられた扉の階床を特定するとともに特定した階床および不法に開けられたことを上記エレベータ制御装置に通報する中央警備装置とを備え、上記エレベータ制御装置は上記ビル警備システムから扉が不法に開けられたとの通報を受けたとき乗場呼びをキャンセルするとともにかごを上記特定された階床以外の階床に停車してからエレベータを休止する。
【発明の効果】
【０００７】
この発明に係るセキュリティシステムによれば、扉のこじ開けが発生したときにエレベータのかごをこじ開けが発生した階床以外の最寄り階に停車させてエレベータを休止するので、エレベータを利用していた居住者がこじ開けを行った犯罪者とかち合わせすることなくエレベータから離れることができる。
【図面の簡単な説明】
【０００８】
【図１】この発明の実施の形態１に係るセキュリティシステムの構成図である。
【図２】この発明の実施の形態１に係るセキュリティシステムで扉を警備する手順を示すフローチャートである。
【発明を実施するための形態】
【０００９】
実施の形態１．
図１は、この発明の実施の形態１に係るセキュリティシステムの構成図である。
この発明の実施の形態１に係るセキュリティシステムは、例えばマンションやテナントビルなどのビルのセキュリティを確保するためのシステムであり、特にビルに設置されたエレベータ１での走行中の安全を確保しようとするシステムである。以下の説明では入口扉２から出入りするマンションを例に挙げてセキュリティシステムを説明する。この発明に係るマンションには、入口扉２、各個戸の扉３、窓４など人が侵入し得る箇所（以下、扉３で代表する）が存在する。
【００１０】
この発明の実施の形態１に係るセキュリティシステムは、警備対象の扉３を警備するマンション警備システム５とエレベータ１の運行を制御するエレベータ制御装置６を備える。
マンション警備システム５は、扉３から不法に侵入する侵入者を監視しており、各扉３に設置されたロック７と、各扉３に設置された警備装置８と、すべての扉３を集中して警備する中央警備装置９と、を備える。そして、各扉３にはロック７が掛けられ、ロック７が掛けられた状態で扉３が開けられると「こじ開け」が発生したとするこじ開け信号が中央警備装置９に伝えられる。
中央警備装置９では、各扉３に併設された警備装置８から送られてきたこじ開け信号を受信すると、こじ開けが発生した階床を特定し、こじ開けが発生したことと発生した階床の情報とをエレベータ制御装置６に送信する。
また、中央警備装置９にはリセットボタン１０が設けられ、リセットボタン１０が押下されると中央警備装置９から送信されていたこじ開けが発生したことの情報が解除される。このリセットボタン１０は警備会社の警備員がマンション内を巡回してマンション内の安全性を確認したとき押下する。
【００１１】
エレベータ制御装置６は、中央警備装置９からこじ開けが発生したことと発生した階床の情報を受信したとき、エレベータ１のかご１１を犯罪者に対して安全な階床に停止するとともにエレベータ１の運行を一旦休止する。
また、エレベータ制御装置６は、中央警備装置９からのこじ開けが発生したことの情報が解除されるとエレベータ１を休止状態から通常運行に移行する。
【００１２】
図２は、この発明の実施の形態１に係るセキュリティシステムで扉３を警備する手順を示すフローチャートである。
次に、この発明の実施の形態１に係るセキュリティシステムでこじ開けが発生したときのエレベータの制御の手順について説明する。
Ｓ１００において、マンション内の各扉３を警備中である。
Ｓ１０１において、マンション内の扉３にこじ開けが発生したか判断し、こじ開けが発生したときＳ１０２に進み、こじ開けが発生していないときＳ１００に戻る。
Ｓ１０２において、エレベータ１が走行中であるか否かを判断し、エレベータ１が走行中の場合Ｓ１０４に進み、エレベータ１が階床に停車中の場合Ｓ１０３に進む。
Ｓ１０３において、エレベータ１の運行を休止しＳ１０６に進む。
Ｓ１０４において、エレベータ１のかご呼びおよび乗場呼びをキャンセルする。
Ｓ１０５において、こじ開けが発生した扉３がある階以外で最寄り階にかご１１を停車させエレベータ１の運行を休止する。
Ｓ１０６において、扉３のこじ開けが発生しエレベータ１の運行を休止している旨報知する。
【００１３】
このようにエレベータ１の運行を休止するとともに警備会社にこじ開けが発生したことが報知されるので、警備会社の警備員がマンションに出向き、マンション内を巡回し、安全の確認を行う。
Ｓ１０７において、安全が確認されたか否かを判断し、安全が確認されたときＳ１０８に進み、安全が確認されていないときＳ１０７を繰り返す。
Ｓ１０８において、エレベータ１を通常運行に変更してマンションの扉３の警備を継続する。
【００１４】
上述のように、実施の形態１に係るセキュリティシステムによれば、扉３のこじ開けが発生したときにエレベータ１のかご１１をこじ開けが発生した階床以外の最寄り階に停車させてエレベータ１を休止するので、エレベータ１を利用していた居住者がこじ開けを行った犯罪者とかち合わせすることなくエレベータ１から離れることができる。
また、エレベータ１が休止されるので、犯罪者が逃げようとしても逃走経路が長くなり、犯罪者と捕らえる可能性が高くなる。
【００１５】
なお、扉３のこじ開けが発生したときにかご呼びをキャンセルし、エレベータ１のかご１１をこじ開けが発生した階床以外の最寄り階に停車させてエレベータ１を休止しているが、かご呼びが登録されているときにそのかご呼びがこじ開けが発生した階床でなければかご呼びに対応してその階床に停車し乗客が降車し終えたらエレベータ１を休止しても良い。
【００１６】
また、エレベータ１のかご１１をこじ開けが発生した階床以外の階床の内最寄り階に停車しているが犯罪者が階段などで移動したとしてもはち合わせが起こりづらいようにこじ開けが発生した階床から最も離れた階床に停車しても良い。
【符号の説明】
【００１７】
１  エレベータ、２  入口扉、３  扉、４  窓、５  マンション警備システム、６  エレベータ制御装置、７  ロック、８  警備装置、９  中央警備装置、１０  リセットボタン、１１  かご。
【図１】
2010195509.tif 000003
【図２】
2010195509.tif 000004